(57)【特許請求の範囲】
【請求項１】
釘打ち工具に使用可能な釘のコイル状帯板の収納箱において、
収納トレイと、
前記収納トレイから突出した内部ポストであって、該内部ポストを貫通しかつ軸方向に延びる溝穴が側面部分に形成され、該溝穴は該内部ポストの一方の側面に第一の溝穴部分と、反対側の側面に第二の溝穴部分とを有しており、かつ、前記溝穴には前記第一の溝穴部分と前記第二の溝穴部分との間に凹部が形成されて成る内部ポストと、
突出する外部ポストを有した釘支持板であって、前記外部ポストは往復運動可能かつ前記内部ポストを包囲するように配置され、かつ、その側面部分を貫通する穴が形成されて成る釘支持板と、
第一の端部と、拡大頭部が形成された反対側の第二の端部とを有したピンであって、該ピンの前記第一の端部は前記内部ポストの第一の溝穴部分を通過可能に形成され、かつ、該ピンの拡大頭部は、前記内部ポストの第一の溝穴部分を通過できず、かつ、前記内部ポストの前記凹部に着座可能に形成されており、そして前記第一の端部が前記第一の溝穴部分を通して前記外部ポストの前記穴内に配置され、かつ、前記拡大頭部が前記溝穴の凹部に着座できるように前記内部ポストの前記溝穴に配置されているピンと、
前記ピンの該第二の端部に係合して該ピンの前記拡大頭部を前記溝穴の前記凹部に付勢、着座させるバイアス部材とを具備し、
前記ピンの拡大頭部が前記溝穴の該凹部に着座するとき、前記釘支持板が前記内部ポストに対して固定されるようにした収納箱。
【請求項２】
前記溝穴が前記第一と前記第二の溝穴部分の間に形成された連続する凹部を有しており、前記バイアス部材は前記ピンの前記第二の端部に係合しており前記ピンの前記拡大頭部を前記溝穴の前記凹部の一つに付勢し、前記ピンが前記バイアス部材の前記付勢力に抗して移動可能となっており、以て前記拡大頭部を前記溝穴の前記凹部から脱座して、前記拡大頭部が前記軸穴方向溝穴の凹部から脱座されるとき、前記釘支持板は前記内部ポストに対して可動になっている請求項１に記載の収納箱。
【請求項３】
前記外部ポストが、該外部ポストの前記穴に向き合う凹部を有しており、
前記バイアス部材は、前記外部ポストの前記凹部に配置される第一の端部と、前記ピンの前記拡大頭部の凹部に配置された反対側の第二の端部を有した圧縮ばねより成る請求項２に記載の収納箱。
【請求項４】
前記収納トレイは略円盤形状の下端部分を有し、前記内部ポストは前記収納トレイの前記下端部の略中心部分から突出しており、
前記釘支持板が略円盤形状をしており、前記外部ポストは前記釘支持板の中心部分から略垂直に突出している請求項１に記載の収納箱。
【請求項５】
前記外部ポストは、該外部ポストを貫通する軸方向穴を有しており、前記内部ポストは前記外部ポストの前記軸方向穴に取り付けられている請求項１に記載の収納箱。
【発明の詳細な説明】
【０００１】
【発明の属する技術分野】
本発明は一般に釘打ち工具に関し、特に釘打ち工具用の調節可能な収納箱と、それらの組合せと、方法に関する。
【０００２】
【従来の技術】
例えば骨組用釘打ち工具のような留め具駆動工具の収納箱に収納されている留め具のコイル状帯板から、例えば骨組用釘のような留め具を供給することは公知である。留め具のコイル状帯板は一般に平行して配列され保持された多数の種類の留め具を含んでいて、コイルに形成されたフレキシブルキャリアーによって離され、かつ収納箱に収納されており、このことは従来技術として公知である。
【０００３】
収納箱が調節可能な留め具支持板を備えていて、異なるサイズのさらには異なる軸方向長さを有する留め具のコイル状帯板を保持出来ることもまた公知である。例えば本発明を応用出来る従来技術における図５はよく知られている従来の調節可能な収納箱１０を示していて、収納箱は一般に調節可能に取り付けられた釘支持板を有する収納トレイ１２を備えていて釘支持板の上に釘のコイル状帯板を保持する。収納トレイ１２は、それに結合していてそれの中心部分から突出している内部ポスト１６を有している。外部ポスト１８は釘支持板１４の中心部分に結合していて、内部ポスト１６を囲んで同心状に取り付けられている。外部ポスト１８は一般に内部ポスト１６に対し往復運動可能に調節出来て、釘支持板を上下し収納箱に異なるサイズの釘を保持する。内部ポスト１６はそこに垂直に取り付けられた引き伸ばされたばね２０によって外部ポスト１８に連結されている。ばねの第一の端部は外部ポスト１８の端部に取り付けられたキャップ２２に連結されていて、ばね２０の第二の端部は内部ポスト１６に連結されており、それによりキャップ２２を外部ポスト１８に保持し釘支持板１４を内部ポスト１６に対し下方に、付勢している。外部ポスト１８は内部ポスト１６に形成されたポケット付き連続溝にそって移動する内部ボスを備えていて、ばね２０が外部ポスト１８を内部ポスト１６に対し下向きに付勢してボスを対応したポケットに調節可能に保持する。
【０００４】
【発明が解決しようとする課題】
しかしながら、図５における従来の技術の調節可能な収納箱および他の調節可能な収納箱は調節可能範囲に制限があり、そのため収納箱に収納されるか配置される留め具のサイズを制限する。前記の図５における従来の技術において、短かい留め具または釘を収納箱に保持するために内部ポストに対し釘支持板１４を十分上方に引き上げようとすると、釘支持板１４の調節範囲は外部ポスト１８およびそのキャップ２２により部分的に制限され、結局は収納箱１２に取り付けられたカバー２４に接触してしまう。
【０００５】
【課題を解決するための手段】
本発明はたとえば屋根とかパレットとか骨組用の釘打ち工具のような留め具駆動工具用のコイル状帯板を収納するために使われる収納箱における従来技術を改良するものである。
【０００６】
本発明の目的は、留め具駆動工具とその組合せとそのための方法に関し新規性のある収納箱を提供するもので、前記した従来技術の問題点を克服するものである。
【０００７】
本発明のもう一つの目的は、経済的で信頼性がある新規な留め具駆動工具用収納箱とその組合せとそのための方法を提供することである。
【０００８】
本発明におけるもう一つの目的は、広い調節範囲を有し留め具の広範囲で異なるサイズの留め具を保持出来る新規な留め具駆動工具用収納箱とその組合せとそのための方法を提供することである。
【０００９】
本発明のさらなる目的は、公知の収納箱における外部ポストのキャップを省き、かつ内部および外部ポストを連結する引き伸ばしたばねを省いた新規な留め具駆動工具用収納箱およびその組合せを提供することである。
【００１０】
本発明におけるさらなる目的は、新規性のある釘打ち工具に使用する釘のコイル状帯状の収納箱とその組合せとそのための方法を提供するもので、一般に凹部のある軸方向溝穴を形成された内部ポストを有する収納トレイ、およびそこから伸びる外部ポストを有する釘支持板を備えている。外部ポストは往復運動可能に内部ポストを囲んで取り付けられていて、外部ポストを貫通して取り付けられたピンが押えつけられておりピンの拡大頭部は軸方向溝穴の凹部の中に着座され内部ポストに対し釘支持板を固定する。それにより拡大頭部が軸方向溝穴の凹部から脱座されると釘支持板は内部ポストに対し調節可能に移動出来る。
【００１１】
本発明におけるこれらおよび他の目的と形態と特徴と利点は、容易に理解するのには十分ではないかも知れないが以下の発明の詳細な説明および添付図面を注意深く検討することでより完全に明らかになる。同様の構造と方法は対応する番号と符号により説明されている。
【００１２】
【発明の実施の形態】
図１において、留め具駆動工具３０は留め具のコイル状帯板を収納するのに使用可能な収納箱１００を有していて、留め具はそこから工具の筒先に供給され製作物に取付けられ、このことは一般に公知である。例示の実施の形態において工具３０は空気作動式釘打ち工具でITW 社（Illinois Tool Works, Inc.: Paslode, Vernon Hills, Illinois）から入手可能なモデル番号Ｆ３２５Ｃである。本発明における収納箱１００は、これに限るわけではないが屋根とかパレットとか他の骨組用の釘打ち工具を含めた他の留め具駆動工具と組合わせて一般的に使用してよく、他の使用例と同様に留め具または他の金具のコイル状帯板を収納することが望ましい。
【００１３】
図１および２において、収納箱１００は一般に、収納トレイ１１０を備えていて、ほぼ円盤形状の下端部分１１２および下端部分１１２から上方に伸びるほぼ円筒状の側壁部分１１４を含んでいる。側壁部分１１４は収納箱１００の上部開口部を形造っていて、その上にカバー１１６が取はずし可能に取り付けられており収納箱の中に釘のコイル状帯板を収納する。図１における例示の実施の形態において、カバー１１６は工具３０の筒先に開閉可能に連結され収納箱上で回動的に開閉し、このことは一般に公知である。
【００１４】
収納箱１００は内部ポスト１２０を備えていて、内部ポストは収納トレイ１１０から、より詳しくは収納トレイの下端部分１１２のほぼ中心部分から伸びている。図２における例示の実施の形態において、内部ポスト１２０は収納箱１１０の下端部１１２からほぼ垂直に伸びていて、下端部を貫通して内部ポスト１２０の中へ伸びているねじ付ボルト２０により下端部に固定されている。代りに、トレイおよび内部ポストは他の方法で固定されるかまたは一体で作られてもよい。
【００１５】
図１および２において、収納箱１００はまた釘支持板１３０を備えていて、釘支持板は収納トレイ１１０に合った寸法に作られたほぼ円盤形状をしており、収納箱の下端部１１２にほぼ平行していて釘支持板１３０の上面１３２の上に釘のコイル状帯板を支えており、このことは一般に公知である。釘支持板１３０はそこから伸びる外部ポスト１４０を含んでいて、より詳しくは外部ポストは釘支持板のほぼ中心からほぼ垂直方向に伸びており、釘支持板に支えられた釘のコイル状帯板が外部ポストを囲んで配置されている。
【００１６】
図２における例示の実施の形態において、外部ポスト１４０は釘支持板１３０の中央開口部１３４を貫通している。釘支持板は外部ポスト１４０のフランジ部１４４で支持されていて、外部ポストの周りを取り囲むばねクリップ１４５によりフランジ部の上に確実に保持されている。
図３における代りの実施の形態において、釘支持板１３０は金属部材でプラスティック製の外部ポスト１４０がインサート成形されていて、そのため図２における実施の形態に示されているばねクリップ１４５は省かれている。図３における釘支持板１３０はこのように形造られていて、外部ポスト１４０に咬合しそこで軸方向に固定されているけれど、釘支持板１３０は外部ポスト１４０に対して回転できるようにしてもよい。代りに、釘支持板１３０および外部ポスト１４０は他の方法で固定するかまたは一体に成形してもよい。
【００１７】
図２において、外部ポスト１４０は往復運動可能に内部ポスト１２０を囲んで配置されていて、より詳しくは外部ポスト１４０が軸方向全体に伸びる穴を有していてその穴の中に内部ポスト１２０が取り付けられている。このように形造られていて、釘支持板１３０および外部ポスト１４０は往復運動可能に内部ポスト１２０に取り付けられている。好ましくは外部ポスト１４０の軸方向穴１４２は上端部１４３を完全に貫通して伸びており、それにより内部ポスト１２０は完全に突き出すことが出来て、釘支持板１３０が収納トレイ１１０の下端部１１２に向けて内部ポスト１２０にそって軸方向下部に下げられより長い釘を収納出来る。
図５に示されるような外部ポストにキャップを有する従来の技術に比べて、外部ポスト１４０の上端部１４３を貫通して内部ポスト１２０の通過が可能になれば、外部ポスト１４０の軸方向全体長さを減ずることが可能となり、それにより外部ポスト１４０の軸方向へのより広範囲な移動を可能にし釘支持板１３０が収納箱のカバー１１６に妨げられることなく収納トレイ１１０の下端部分１１２から遠く離れることを可能にする。
【００１８】
図５における従来技術による収納箱に関連して前述したように、内部ポスト１６に対する外部ポスト１８と釘支持板１４の上方への移動は収納カバー２４により制限されて、結局は外部ポスト１８のキャップ２２の移動を妨げることになり、それにより従来技術における釘支持板１４はより短かな釘を収納するための上方向への調節範囲を制限されている。本発明における収納箱において、キャップのない外部ポスト１４０および外部ポストを貫通する軸方向穴１４２は外部ポスト１４０の軸方向長さを短かくすることを可能にし、それによりより長い釘を収納するために釘支持板１３０の下向き方向への調節範囲を制限することなく、より短かな釘を収納するために釘支持板１３０が収納トレイ１１０の下端部１１２から離れる上向き方向の調節範囲は増加されている。
【００１９】
図２において、収納箱１００はピン１５０を備えていて、ピンは第一の端部１５２および拡大頭部１５４が形成された反対側の第二の端部を有している。ピンの第一の端部は外部ポスト１４０の側面の穴１４６を貫通して取り付けられており、ピンの拡大頭部１５４付き第二の端部は一般に内部ポスト１２０の軸方向溝穴１６０に取り付けられている。ピン１５０は内部ポストおよび外部ポストの軸をほぼ横切る方向に取り付けられていて、ピンの拡大頭部は軸方向溝穴１６０の凹部に着座可能で釘支持板１３０の内部ポスト１２０に対する軸方向位置を固定する。言いかえると、ピン１５０の拡大頭部１５４が軸方向溝穴１６０に着座されると、ピン１５０は軸方向溝穴１６０にそった往復運動は出来なくなり、そのため内部ポスト１２０対する外部ポストおよび釘支持板の軸方向位置が固定される。以下により更に詳細に説明する。
【００２０】
収納箱１００はまた、一般にピン１５０の第二の端部に係合されるバイアス部材（biassing member ）を備えていて、拡大頭部１５４を軸方向溝穴の凹部に着座し、それによりピンの拡大頭部が軸方向溝穴の凹部に着座すると外部ポストおよび釘支持板は内部ポストに対し固定される。
【００２１】
図２における例示の実施の形態において、バイアス部材は圧縮ばね１７０で、その第一の端部は外部ポスト１４０の穴１４６と向き合う側面の凹部１４７に取り付けられている。ばね１７０はまたピン１５０の第二の端部と係合される第二の向き合った端部を有していて、好ましくはピン１５０の拡大頭部１５４の凹部１５６に取り付けられている。このように形造られていて、外部ポスト１４０はピン１５０およびばね１７０を保持していて、ピン１５０の拡大頭部１５４が軸方向溝穴１６０に着座されていないと外部ポスト１４０は内部ポスト１２０に対して往復運動する。
【００２２】
図２における例示の実施の形態において、軸方向溝穴は内部ポスト１２０を完全に貫通して伸びていて、軸方向溝穴は内部ポスト１２０の一方の側面に第一の溝穴部分１６２および反対側の側面に第二の溝穴部分１６４を含んでいる。第一の溝穴部分１６２が、ピン１５０の第一の端部１５２は通過出来るが拡大頭部１５４は通過出来ない寸法に形造られていて、第二の溝穴部分はピンの拡大頭部を着座出来る寸法に形造られている。凹部の中にバイアス部材の付勢力により拡大頭部が着座していて、拡大頭部は外部ポスト１４０を内部ポスト１２０に対し軸方向に固定しており、凹部は内部ポスト１２０の第一および第二の溝穴部分１６２および１６４の間に形成されている。
【００２３】
図２において、外部ポスト１４０が内部ポスト１２０を囲んで往復運動可能に配置されていて、外部ポスト１４０の穴１４６は内部ポスト１２０の第一の溝穴部分１６２と一直線に合わせられていて、外部ポスト１４０の凹部１４７は内部ポスト１２０の第二の溝穴部分１６４と一直線に合わせられている。このように配置されているので、ピン１５０の第二の端部の拡大頭部１５４は、ピン１５０の第二の端部と外部ポスト１４０の間に取り付けられている圧縮ばね１５０の付勢動作により内部ポスト１２０の凹部に着座される。ピンの拡大頭部１５４は圧縮ばね１７０の付勢力による内部ポスト１２０の第一の溝穴１６２を通過するのを妨げ、拡大頭部１５４は内部ポスト１２０の凹部に着座する。
【００２４】
図３における代りの実施の形態において、ばねピン１８０は第一の端部１８２を有していて、第一の端部は外部ポスト１４０の穴にプレス加工されておりそこに固定的に結合されている。好ましくはばね１７０の端部は外部ポスト１４０の凹部１４７に取り付けたままでばね１７０を位置決めしているけれども、代りの実施の形態において凹部１４７は省いてもよい。ピン１８０の第二の端部１８４はばね１７０を貫通して取り付けられていて、またピン１５０の軸方向穴１５８に作動自由に取り付けられている。ばねピン１８０はピン１５０およびばね１７０を付加的に支え、さらに内部ポスト１２０と外部ポスト１４０の軸を横切ってピン１５０を動かし、ピン１５０がばね１７０の付勢力に抗して押し下げられて釘支持板１３０の軸方向位置の調節を可能にする。
【００２５】
図２〜４において、好ましくは内部ポスト１２０の軸方向溝穴１６０は第一と第二の溝穴部分１６２と１６４の間に形成された連続した凹部１６６を備えている。図２において、圧縮ばね１７０はピン１５０の拡大頭部１５４を、内部ポスト１２０に対し必要とされる釘支持板１３０の軸方向位置にもとずく軸方向溝穴１６０の凹部１６６の一つに押入れる。凹部１６６は各々ピン１５０の拡大頭部１５４と係合可能な側壁部１６７に対応して位置決めされていて、拡大頭部１５４が一つの凹部１６６に着座すると内部ポスト１２０の軸方向溝穴１６０にそったピンの動きを妨げ、それにより外部ポスト１４０の軸方向の動きおよびそこで内部ポスト１２０に対する釘支持板１３０の軸方向位置を固定する。図３に例示の内部ポスト１２０は軸方向溝穴１６０に形成された五つの凹部を含んでいるが、他の実施の形態において軸方向溝穴はこれより多くても少なくてもよい。
【００２６】
図２において、ピン１５０は、ピン１５０の第一の端部１５２を外部ポスト１４０の穴１４６から突き出して押し下げてピン１５０の拡大頭部１５４を軸方向溝穴１６０の凹部１６６から脱座することにより、例示の実施の形態においては圧縮ばね１７０であるバイアス部材の押えに抗して移動可能である。ピン１５０の拡大頭部１５４が凹部から脱座すると、拡大頭部１５４は軸方向溝穴の第二の溝穴部分１６４に移動してそこで拡大頭部は内部ポスト１２０に対し自由に往復運動出来、それにより釘支持板１３０の調節が可能となり収納箱１００に特殊な留め具とか特殊なサイズの釘を収容出来る。釘支持板１３０を内部ポスト１２０に対し必要な位置に移動させる時、ピン１５０は抜かれバイアス部材がピン１５０の拡大頭部１５４を軸方向溝穴１６０の凹部１６６の一つに押入れることを可能にし、釘支持板１３０は内部ポスト１２０および収納トレイ１１０の下端部１１２に対し固定出来る。
【００２７】
本発明における以上の説明において当業者なら現在考えられる最良の形態を実施し使用することが出来、例示の実施の形態の変更とか組合わせとか等価物の存在を理解しわかるであろう。それゆえ本発明は例示の実施の形態に限られるものではなく、本特許の請求範囲の範囲と精神内におけるすべての実施の形態に及ぶものである。
【図面の簡単な説明】
【図１】図１は、本発明における釘のコイル状帯板用収納箱を有する釘打ち工具の例を示している。
【図２】図２は、本発明における収納箱の部分断面図である。
【図３】図３は、本発明における別の実施例の収納箱の部分図である。
【図４】図４は、本発明における内部ポストの部分図である。
【図５】図５は、公知の従来技術における収納箱の部分断面図である。
【符号の説明】
３０…留め具駆動工具
１００…収納箱
１１０…収納トレイ
１２０…内部ポスト
１３０…釘支持板
１４０…外部ポスト
１５０…ピン
１５４…拡大頭部
１６０…軸方向溝穴
１６６…凹部
【図１】
0004558889.tif 000002
【図２】
0004558889.tif 000003
【図３】
0004558889.tif 000004
【図４】
0004558889.tif 000005
【図５】
0004558889.tif 000006